(57)【要約】【課題】イニシャルプルダウン時の商品や庫内の温度が高い状態において、蒸発温度の上昇を低減して圧縮機にかかる負荷を減らし、圧縮機の強制停止を防止する。さらに、商品を所定の温度まで冷却する時間を短縮して、夏場の暑いときにも大量販売に対応する。【解決手段】自動販売機１が高負荷状態に蒸発温度を低減するための蒸発温度上昇低減手段１００と、蒸発温度上昇低減手段１００の動作終了後に、商品収容庫を所定の温度に素早く冷却するためのイニシャルプルダウン短縮手段３００とを備えたものであり、高負荷状態でのイニシャルプルダウン時において、蒸発温度上昇の低減により圧縮機にかかる負荷を減らし、圧縮機の強制停止を防止することができる。さらに、イニシャルプルダウン時間（商品を所定の温度まで冷却するのにかかる時間）を短縮することができ、夏場の暑いときにも大量販売に対応することができる。【選択図】図６
2010257110.tif 000002
【特許請求の範囲】
【請求項１】
冷媒を圧縮するための圧縮機と、前記冷媒を凝縮するための凝縮器と、商品収容庫を冷却するための複数の蒸発器とを備えた自動販売機において、前記自動販売機が高負荷状態に蒸発温度を低減するための蒸発温度上昇低減手段と、前記蒸発温度上昇低減手段の動作終了後に、前記商品収容庫を所定の温度に素早く冷却するためのイニシャルプルダウン短縮手段とを備えたことを特徴とする自動販売機の制御装置。
【請求項２】
前記イニシャルプルダウン短縮手段は、冷媒流量が少ない特定庫内または任意庫内を優先的に冷却するための優先運転制御部を備えたことを特徴とする請求項１に記載の自動販売機の制御装置。
【請求項３】
前記優先運転制御部は、冷媒流量が少ない特定庫内を選択するための特定庫内選択部を備え、前記特定庫内を優先的に冷却するための特定庫内優先運転制御部としたことを特徴とする請求項２に記載の自動販売機の制御装置。
【請求項４】
前記優先運転制御部は、冷媒流量が少ない任意庫内を選択するための任意庫内選択部を備え、前記任意庫内を優先的に冷却するための任意庫内優先運転制御部としたことを特徴とする請求項２に記載の自動販売機の制御装置。
【請求項５】
前記イニシャルプルダウン短縮手段は、冷媒流量が少ない特定庫内または任意庫内のイニシャルプルダウンの制御温度を調整するためのイニシャルプルダウン制御温度調整部を備えたことを特徴とする請求項１に記載の自動販売機の制御装置。
【請求項６】
前記イニシャルプルダウン制御温度調整部は、冷媒流量が少ない特定庫内を選択するための特定庫内選択部を備え、前記特定庫内のイニシャルプルダウンの制御温度を調整するための特定庫内イニシャルプルダウン制御温度調整部としたことを特徴とする請求項５に記載の自動販売機の制御装置。
【請求項７】
前記イニシャルプルダウン制御温度調整部は、冷媒流量が少ない任意庫内を選択するための任意庫内選択部を備え、前記任意庫内のイニシャルプルダウンの制御温度を調整するための任意庫内イニシャルプルダウン制御温度調整部としたことを特徴とする請求項５に記載の自動販売機の制御装置。
【発明の詳細な説明】
【技術分野】
【０００１】
本発明は自動販売機の冷却システムの制御装置に関するものである。
【背景技術】
【０００２】
従来、この種の自動販売機は、電磁弁のオン／オフ制御を行うことで圧縮機にかかる負荷を低減している（例えば、特許文献１参照）。
【０００３】
図１１は、特許文献１に記載された従来の自動販売機の冷却装置および制御装置を示すものである。図１１に示すように、冷却装置５０は、コンプレッサ５１、凝縮器（コンデンサ）５２、ディストリビュータ５３、２本のキャピラリチューブ５４Ａ、５４Ｂ及び２個の電磁弁５５Ａ、５５Ｂを備えて構成されている。各電磁弁５５Ａ、５５Ｂには、それぞれキャピラリチューブ５４Ａ、５４Ｂを介して蒸発器（エバポレータ）５６Ａ、５６Ｂが接続されている。各蒸発器５６Ａ、５６Ｂは冷媒管及びアキュームレータ６５を介してコンプレッサ５１に接続されている。また、電磁弁５５Ａ、５５Ｂのオン／オフ状態を制御するための制御プログラム及び制御データを記憶し、制御を実行するためのコントローラ５８を備えた構成となっている。
【０００４】
以上のように構成された自動販売機の制御装置について、以下その動作を説明する。まず、自動販売機の周囲温度または当該周囲温度に基づく温度を検出して温度データとしてコントローラ５８に出力する。コントローラ５８は、温度データに基づいて周囲温度が所定温度以上になった場合に、少なくとも一の電磁弁（例えば電磁弁５５Ａ）を閉状態とするとともに少なくとも一の電磁弁（例えば電磁弁５５Ｂ）を開状態とする。以上のように、閉状態にある電磁弁５５Ａに接続されている蒸発器５６Ａは休止状態となるのでコンプレッサ５１の負荷を低減することができるとともに、開状態にある電磁弁５５Ｂに接続されている蒸発器５６Ｂは冷却動作を継続することとなる。
【先行技術文献】
【特許文献】
【０００５】
【特許文献１】特開平８−２１２４４８号公報
【発明の概要】
【発明が解決しようとする課題】
【０００６】
しかしながら、上記従来の構成では、イニシャルプルダウン時といった商品や庫内の温度が高い状態において、一時的に冷却を停止するタイミングが発生する。冷却を停止すると庫内温度は上昇するので、再度冷却を開始した直後、蒸発温度も上昇する。蒸発温度が上昇すれば圧縮機（コンプレッサ１１）の軸動力も増加するといった圧縮機の特性がある。圧縮機の軸動力が増えることで、圧縮機にかかる負荷が増加し、過負荷保護装置が働き、圧縮機が強制停止するという課題を有していた。
【０００７】
本発明は、上記従来の課題を解決するもので、イニシャルプルダウン時といった商品や庫内の温度が高い状態において、蒸発温度の上昇を低減して圧縮機にかかる負荷を減らし、圧縮機の強制停止を防止することを目的とする。
【０００８】
さらに、イニシャルプルダウン時間（商品を所定の温度まで冷却するのにかかる時間）を短縮して、夏場の暑いときにも大量販売に対応することを目的とする。
【課題を解決するための手段】
【０００９】
上記従来の課題を解決するために、本発明の自動販売機の制御装置は、冷媒を圧縮するための圧縮機と、前記冷媒を凝縮するための凝縮器と、商品収容庫を冷却するための複数の蒸発器とを備えた自動販売機において、前記自動販売機が高負荷状態に蒸発温度を低減するための蒸発温度上昇低減手段と、前記蒸発温度上昇低減手段の動作終了後に、前記商品収容庫を所定の温度に素早く冷却するためのイニシャルプルダウン短縮手段とを備えたものである。
【００１０】
これによって、高負荷状態でのイニシャルプルダウン時において、各庫内の蒸発器へ一定時間、連続して冷媒を流すことで、庫内の温度上昇を防止し、蒸発温度の上昇を低減できるとともに、各庫内の蒸発器へ均等に冷媒を流すことで、イニシャルプルダウン時間を短縮することができる。
【発明の効果】
【００１１】
本発明の自動販売機の制御装置は、高負荷状態でのイニシャルプルダウン時において、蒸発温度上昇の低減により圧縮機にかかる負荷を減らし、圧縮機の強制停止を防止することができる。
【００１２】
さらに、イニシャルプルダウン時間（商品を所定の温度まで冷却するのにかかる時間）を短縮することができ、夏場の暑いときにも大量販売に対応することができる。
【図面の簡単な説明】
【００１３】
【図１】本発明の実施の形態１における自動販売機内部の概要構成図
【図２】本発明の実施の形態１における自動販売機の冷却システムの概要構成図
【図３】本発明の実施の形態１ないし２における自動販売機の制御装置の構成図
【図４】本発明の実施の形態１における自動販売機の制御装置の動作を示すフローチャート
【図５】本発明の実施の形態２における自動販売機の制御装置の動作を示すフローチャート
【図６】本発明の実施の形態３ないし４における自動販売機の制御装置の構成図
【図７】本発明の実施の形態３ないし４における自動販売機の制御装置の構成図
【図８】本発明の実施の形態３ないし４における状態記憶部の構成図
【図９】本発明の実施の形態３における自動販売機の制御装置の動作を示すフローチャート
【図１０】本発明の実施の形態４における自動販売機の制御装置の動作を示すフローチャート
【図１１】従来の自動販売機の冷却システムの冷却装置および制御装置を示す図
【発明を実施するための形態】
【００１４】
請求項１に記載の発明は、冷媒を圧縮するための圧縮機と、前記冷媒を凝縮するための凝縮器と、商品収容庫を冷却するための複数の蒸発器とを備えた自動販売機において、前記自動販売機が高負荷状態に蒸発温度を低減するための蒸発温度上昇低減手段と、前記蒸発温度上昇低減手段の動作終了後に、前記商品収容庫を所定の温度に素早く冷却するためのイニシャルプルダウン短縮手段とを備えたものであり、高負荷状態でのイニシャルプルダウン時において、蒸発温度上昇の低減により圧縮機にかかる負荷を減らし、圧縮機の強制停止を防止することができる。さらに、イニシャルプルダウン時間（商品を所定の温度まで冷却するのにかかる時間）を短縮することができ、夏場の暑いときにも大量販売に対応することができる。
【００１５】
請求項２に記載の発明は、請求項１に記載の発明において、前記イニシャルプルダウン短縮手段は、冷媒流量が少ない特定庫内または任意庫内を優先的に冷却するための優先運
転制御部としたものであり、高負荷状態でのイニシャルプルダウン時において、蒸発温度上昇の低減により圧縮機にかかる負荷を減らし、圧縮機の強制停止を防止することができる。さらに、イニシャルプルダウン時間（商品を所定の温度まで冷却するのにかかる時間）を短縮することができ、夏場の暑いときにも大量販売に対応することができる。
【００１６】
請求項３に記載の発明は、請求項２に記載の発明において、前記優先運転制御部は、冷媒流量が少ない特定庫内を選択するための特定庫内選択部を備え、前記特定庫内を優先的に冷却するための特定庫内優先運転制御部としたものであり、高負荷状態でのイニシャルプルダウン時において、蒸発温度上昇の低減により圧縮機にかかる負荷を減らし、圧縮機の強制停止を防止することができる。さらに、イニシャルプルダウン時間（商品を所定の温度まで冷却するのにかかる時間）を短縮することができ、夏場の暑いときにも大量販売に対応することができる。
【００１７】
請求項４に記載の発明は、請求項２に記載の発明において、前記優先運転制御部は、冷媒流量が少ない任意庫内を選択するための任意庫内選択部を備え、前記任意庫内を優先的に冷却するための任意庫内優先運転制御部としたものであり、高負荷状態でのイニシャルプルダウン時において、蒸発温度上昇の低減により圧縮機にかかる負荷を減らし、圧縮機の強制停止を防止することができる。さらに、任意の庫内を優先的に冷却するために販売状況に応じてイニシャルプルダウン時間（商品を所定の温度まで冷却するのにかかる時間）を短縮することができ、夏場の暑いときにも大量販売に対応することができる。
【００１８】
請求項５に記載の発明は、請求項１に記載の発明において、前記イニシャルプルダウン短縮手段は、冷媒流量が少ない特定庫内または任意庫内のイニシャルプルダウンの制御温度を調整するためのイニシャルプルダウン制御温度調整部を備えたものであり、高負荷状態でのイニシャルプルダウン時において、蒸発温度上昇の低減により圧縮機にかかる負荷を減らし、圧縮機の強制停止を防止することができる。さらに、イニシャルプルダウン時間（商品を所定の温度まで冷却するのにかかる時間）を短縮することができ、夏場の暑いときにも大量販売に対応することができる。
【００１９】
請求項６に記載の発明は、請求項５に記載の発明において、前記イニシャルプルダウン制御温度調整部は、冷媒流量が少ない特定庫内を選択するための特定庫内選択部を備え、前記特定庫内のイニシャルプルダウンの制御温度を調整するための特定庫内イニシャルプルダウン制御温度調整部としたものであり、高負荷状態でのイニシャルプルダウン時において、蒸発温度上昇の低減により圧縮機にかかる負荷を減らし、圧縮機の強制停止を防止することができる。さらに、イニシャルプルダウン時間（商品を所定の温度まで冷却するのにかかる時間）を短縮することができ、夏場の暑いときにも大量販売に対応することができる。
【００２０】
請求項７に記載の発明は、請求項５に記載の発明において、前記イニシャルプルダウン制御温度調整部は、冷媒流量が少ない任意庫内を選択するための任意庫内選択部を備え、前記任意庫内のイニシャルプルダウンの制御温度を調整するための任意庫内イニシャルプルダウン制御温度調整部としたものであり、高負荷状態でのイニシャルプルダウン時において、蒸発温度上昇の低減により圧縮機にかかる負荷を減らし、圧縮機の強制停止を防止することができる。さらに、任意の庫内を優先的に冷却するために販売状況に応じてイニシャルプルダウン時間（商品を所定の温度まで冷却するのにかかる時間）を短縮することができ、夏場の暑いときにも大量販売に対応することができる。
【００２１】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２２】
（実施の形態１）
図１は、本発明の実施の形態１における自動販売機内部の概要構成図である。図２は、本発明の実施の形態１における自動販売機の冷却システムの概要構成図を示す。図３は、本発明の実施の形態１における自動販売機の制御装置の構成図である。図４は、本発明の実施の形態１における自動販売機の制御装置の動作を示すフローチャートである。
【００２３】
図１において、自動販売機１は、断熱隔壁２により区画された庫内Ａ、庫内Ｂを備え、それぞれに商品収納コラム３ａ、商品収納コラム３ｂを有する。さらに、各商品収納コラム３ａ、各商品収納コラム３ｂ内には、温度を測定するコラム内温度測定センサ９１ａ、コラム内温度測定センサ９１ｂを有し、自動販売機１の周囲温度を測定する外気温度測定センサ９１ｃを有する。そして、自動販売機全体を制御するためのコントローラ７、圧縮機等の冷却装置及び商品排出機構等が内蔵された機構部６とを備えて構成されている。
【００２４】
図２において、冷却システムは、圧縮機９２ｂ、凝縮器（コンデンサ）１２、三方弁９２ａ、キャピラリチューブ１４ａ、１４ｂ、蒸発器１６ａ、１６ｂを備え、三方弁９２ａの一方は、キャピラリチューブ１４ｂと蒸発器１６ｂと蒸発器１６ａにつながる冷媒流路を形成し、三方弁９２ａの他方は、キャピラリチューブ１４ａと蒸発器１６ａにつながる冷媒流路を形成しており、それぞれ選択的に制御される。
【００２５】
図３において、制御装置の主制御部２００は、蒸発温度上昇低減手段１００として、特定庫内または任意庫内を強制的に冷却するための強制運転制御部１１０と、特定庫内または任意庫内の制御温度を調整するための制御温度調整部１２０とを備えている。また、圧縮機９２ｂにかかる負荷の状態を判定するための高負荷状態判定部１００ａと、コラム内温度測定センサ９１ａ、コラム内温度測定センサ９１ｂそして外気温度測定センサ９１ｃとを備えた温度検知部９１と、三方弁９２ａと圧縮機９２ｂとを制御するための負荷制御部９２とを備えている。
【００２６】
本発明の実施の形態１の蒸発温度上昇低減手段１００としての強制運転制御部１１０は、強制冷却する特定庫内を記憶するための特定庫内記憶部１１１ａを備え、特定庫内を強制冷却するための特定庫内強制運転制御部１１１としている。さらに、強制冷却する任意庫内を選択するための任意庫内選択部１１２ａを備え、任意庫内を強制的に冷却するための任意庫内強制運転制御部１１２としている。
【００２７】
以上のように構成された自動販売機の制御装置について、以下その動作、作用を説明する。
【００２８】
図４において、まず、コラム内温度測定センサ９１ａ、コラム内温度測定センサ９１ｂ、外気温度測定センサ９１ｃが全て所定温度（例えば３０℃）以上の場合、高負荷状態判定部１００ａが高負荷状態と判定し下記の動作を行う。
【００２９】
まず、特定庫内記憶部１１１ａに記憶された庫内を確認し、庫内Ａと庫内Ｂが該当する場合（ステップ１１）、庫内Ａと庫内Ｂの冷却を開始する（ステップ１２）。このとき、庫内Ａと庫内Ｂに冷媒が流れるように三方弁９２ａを開く。具体的には、三方弁９２ａからキャピラリチューブ１４ｂと蒸発器１６ｂと蒸発器１６ａにつながる冷媒流路を形成する。そして、庫内Ａと庫内Ｂの冷却を開始したときから高負荷運転が開始するものとし経過時間を測定する（ステップ１３）。
【００３０】
経過時間が所定の時間未満（例えば高負荷運転開始５時間未満）の場合、ステップ１４で庫内Ａのコラム内温度測定センサ９１ａが冷却停止温度に到達しても庫内Ａの冷却を継
続し（ステップ１５）、ステップ１６で庫内Ｂのコラム内温度測定センサ９１ｂが冷却停止温度に到達しても庫内Ｂの冷却を継続する（ステップ１７）。
【００３１】
庫内Ａのコラム内温度測定センサ９１ａと庫内２のコラム内温度測定センサ９１ｂが冷却停止温度に到達すれば圧縮機９２ｂを止めて冷却を停止する（ステップ１９）。ステップ２０で、庫内Ａのコラム内温度測定センサ９１ａまたは庫内Ｂのコラム内温度測定センサ９１ｂが冷却動作温度に到達するまで冷却を停止し、冷却動作温度に到達すれば圧縮機９２ｂを動かして冷却を開始する（ステップ２１）。ステップ１９で冷却を停止しているが、この場合、庫内の負荷が小さくなり、冷却する必要がない状態であるので、冷却を停止して問題ない。つまり、圧縮機９２ｂが動作している高負荷状態で、庫内Ａまたは庫内Ｂいずれかの冷却の停止と開始を繰返さないこととする。
【００３２】
ステップ２２で経過時間が所定の時間以上（例えば５時間以上）になれば通常制御に戻し（ステップ２３）、処理を終了する。通常制御とは、例えばコラム内温度測定センサ９１ａが冷却停止温度に到達すれば冷却を停止し、コラム内温度測定センサ９１ａが冷却動作温度に到達すれば冷却を開始するものである。
【００３３】
ここで、強制運転制御部１１０を、強制冷却する任意庫内を選択するための任意庫内選択部１１２ａを備えた任意庫内強制運転制御部１１２としてもよい。
【００３４】
その動作は、図４において、コラム内温度測定センサ９１ａの温度がコラム内温度測定センサ９１ｂの温度よりも所定の温度（例えば５℃でこれに限定されるものではない）以上の場合、任意庫内選択部１１２ａが庫内Ａを選択し、庫内Ａの冷却を開始する。庫内Ａの冷却動作はステップ１３以降と同じであり説明を省略する。庫内Ｂについて、所定の時間（５時間）未満の場合、動作温度に達しても冷却を開始しない。
【００３５】
尚、高負荷状態の判定条件としてコラム内温度測定センサ９１ａ・コラム内温度測定センサ９１ｂ・外気温度測定センサ９１ａが全て３０℃以上としたが、３０℃に限定されるものでなく、また、判定手段もこれらの温度測定センサの組合せに限定されるものではない。
【００３６】
また、庫内数は２に限定されるものでなく、３以上においても該当する。また、ステップ１８で所定時間経過後としたが、時間に限定されるものでなく、温度測定センサの検知温度から判定してもよい。さらに所定時間も５時間に限定されるものではない。
【００３７】
また、蒸発器１６ａまたは蒸発器１６ｂへ冷媒を流す手段は、三方弁９２ａに限定されるものではない。
【００３８】
以上のように、本実施の形態においては、強制運転制御部１１０（蒸発温度上昇低減手段１００）を、強制冷却する特定庫内を記憶するための特定庫内記憶部１１１ａを備え、特定庫内を強制的に冷却するための特定庫内強制運転制御部１１１とすることにより、高負荷状態でのイニシャルプルダウン時において、蒸発温度上昇の低減により圧縮機９２ｂにかかる負荷を減らし、圧縮機９２ｂの強制停止を防止することができる。
【００３９】
また、強制運転制御部１１０（蒸発温度上昇低減手段１００）を、強制冷却する任意庫内を選択するための任意庫内選択部１１２ａを備え、任意庫内を強制的に冷却するための任意庫内強制運転制御部１１２とすることにより、高負荷状態でのイニシャルプルダウン時において、蒸発温度上昇の低減により圧縮機９２ｂにかかる負荷を減らし、圧縮機９２ｂの強制停止を防止することができる。さらに、温度の高い庫内を優先的に冷却するため、イニシャルプルダウン時間を短縮することができる。
【００４０】
（実施の形態２）
図３は、本発明の実施の形態２における自動販売機の制御装置の構成図である。図５は、本発明の実施の形態２における自動販売機の制御装置の動作を示すフローチャートである。なお、実施の形態１と同一構成については、詳細な説明を省略する。
【００４１】
図３において、本発明の実施の形態２の制御温度調整部１２０（蒸発温度上昇低減手段１００）は、制御温度を調整する特定庫内を記憶するための特定庫内記憶部１２１ａを備え、特定庫内の制御温度を調整するための特定庫内制御温度調整部１２１としている。また、制御温度調整部１２０（蒸発温度上昇低減手段１００）を、制御温度を調整する任意庫内を選択するための任意庫内選択部１２２ａを備え、任意庫内の制御温度を調整するための任意庫内制御温度調整部１２２としている。
【００４２】
以上のように構成された自動販売機の制御装置について、以下その動作、作用を説明する。
【００４３】
図５において、まず、コラム内温度測定センサ９１ａ・コラム内温度測定センサ９１ｂ・外気温度測定センサ９１ｃが全て３０℃以上の場合、高負荷状態判定部１００ａが高負荷状態と判定し下記の動作を行う。
【００４４】
まず、特定庫内記憶部１２１ａに記憶された庫内を確認し、庫内Ａと庫内Ｂが該当する場合（ステップ１１）、庫内Ａと庫内Ｂの冷却を開始する（ステップ１２）。このとき、庫内Ａと庫内Ｂに冷媒が流れるように三方弁９２ａを開く。具体的には、三方弁９２ａからキャピラリチューブ１４ｂと蒸発器１６ｂと蒸発器１６ａにつながる冷媒流路を形成する。そして、庫内Ａと庫内Ｂの冷却を開始したときから高負荷運転が開始するものとし経過時間を測定する（ステップ１３）。
【００４５】
経過時間が所定の時間未満（例えば高負荷運転開始５時間未満）の場合、庫内Ａと庫内Ｂの冷却停止温度をシフトダウンする（ステップ２１）。例えば、庫内Ａと庫内Ｂの冷却停止温度がそれぞれ１℃と２℃のとき、５℃シフトダウンして、−４℃と−３℃とする。冷却停止温度とは、コラム内温度測定センサ９１ａまたはコラム内温度測定センサ９１ｂがこの温度になったときに冷却を停止するものである。
【００４６】
ステップ１８で経過時間が所定の時間（例えば５時間）以上になれば、庫内Ａと庫内Ｂの冷却停止温度のシフトダウンを解除して、元に戻す（庫内Ａ：−４℃→１℃、庫内Ｂ：−３℃→２℃）（ステップ２２）。
【００４７】
ここで、制御温度調整部１１０を、制御温度を調整する任意庫内を選択するための任意庫内選択部１２２ａを備えた任意庫内の制御温度を調整するための任意庫内制御温度調整部１２２としてもよい。
【００４８】
その動作は、コラム内温度測定センサ９１ａの温度がコラム内温度測定センサ９１ｂの温度よりも所定の温度（例えば５℃でこれに限定されるものではない）以上の場合、任意庫内選択部１２２ａが庫内Ａを選択し、庫内Ａの冷却停止温度を−５℃シフトダウンし、庫内Ｂの冷却停止温度を−３℃シフトダウンする。その他の動作は図５の内容と同じであるため説明を省略する。
【００４９】
尚、シフトダウンする温度は、−５℃や−３℃に限定されるものでなく、任意に設定することも可能である。また、蒸発器１６ａまたは蒸発器１６ｂへ冷媒を流す手段は、三方弁９２ａに限定されるものではない。
【００５０】
以上のように、本実施の形態においては、制御温度調整部１２０（蒸発温度上昇低減手段１００）を、制御温度を調整する特定庫内を記憶するための特定庫内記憶部１２１ａを備え、特定庫内の制御温度を調整するための特定庫内制御温度調整部１２１とすることにより、高負荷状態でのイニシャルプルダウン時において、蒸発温度上昇の低減により圧縮機９２ｂにかかる負荷を減らし、圧縮機９２ｂの強制停止を防止することができる。また、制御温度を調整できるので、各自動販売機に適した制御を実施することができる。
【００５１】
また、制御温度調整部１２０（蒸発温度上昇低減手段１００）を、制御温度を調整する任意庫内を選択するための任意庫内選択部１２２ａを備え、任意庫内の制御温度を調整するための任意庫内制御温度調整部１２２とすることにより、高負荷状態でのイニシャルプルダウン時において、蒸発温度上昇の低減により圧縮機９２ｂにかかる負荷を減らし、圧縮機９２ｂの強制停止を防止することができる。また、制御温度を調整できるので、各自動販売機に適した制御を実施することができる。さらに、温度の高い庫内の冷却時間を長くすることで、イニシャルプルダウン時間を短縮することができる。
【００５２】
（実施の形態３）
図６、図７は、本発明の実施の形態３における自動販売機の制御装置の構成図である。図８は、本発明の実施の形態３における状態記憶部の構成図である。図９は、本発明の実施の形態３における自動販売機の制御装置の動作を示すフローチャートである。なお、実施の形態１と同一構成については、詳細な説明を省略する。
【００５３】
図６において、制御装置の主制御部４００は、イニシャルプルダウン短縮手段３００として、特定庫内または任意庫内を優先的に冷却するための優先運転制御部３１０と、特定庫内または任意庫内のイニシャルプルダウン制御温度を調整するためのイニシャルプルダウン制御温度調整部３２０とを備えている。
【００５４】
本発明の実施の形態３のイニシャルプルダウン短縮手段３００としての優先運転制御部３１０は、優先的に冷却する特定庫内を記憶するための特定庫内選択部３１１ａを備え、特定庫内を優先的に冷却するための特定庫内優先運転制御部３１１としている。さらに、優先的に冷却する任意庫内を選択するための任意庫内選択部３１２ａを備え、任意庫内を優先的に冷却するための任意庫内優先運転制御部３１２としている。
【００５５】
図７において、イニシャルプルダウン短縮手段３００は、自動販売機１が高負荷状態で運転しているときの蒸発温度の上昇を低減するための蒸発温度上昇低減手段１００の動作終了後にイニシャルプルダウン時間を決定するためのタイマー決定部３０１と、蒸発器１６ａと蒸発器１６ｂにどちらに多く冷媒が流れたかを認識するための冷媒流量認識部３０２と、キャピラリチューブ１４ａ・キャピラリチューブ１４ｂの２次圧の値、第２のイニシャルプルダウン時間を記憶するための状態記憶部３０３とを備えている。
【００５６】
以上のように構成された自動販売機の制御装置について、以下その動作、作用を説明する。
【００５７】
図９において、まず、蒸発温度上昇低減手段１００の動作が終了（ステップ３１）した後、イニシャルプルダウン時間を決定する（ステップ３２）。
【００５８】
ここで、状態記憶部３０３の構成について説明する。１列目に現状と各パターン名、２列目に庫内Ａのキャピラリチューブ２次圧の値、３列目に庫内Ｂのキャピラリチューブ２次圧の値、４列目に第２のイニシャルプルダウン時間の値を格納している。そして、１行目に現状の設定値、２行目以降に各キャピラリチューブ２次圧に該当する第２のイニシャ
ルプルダウン時間の値を格納している。
【００５９】
ステップ３２において、タイマー決定部３０１は状態記憶部３０３の現状の庫内Ａと庫内Ｂのキャピラリチューブ２次圧の値を読取り、それらが各パターンのいずれに該当するかを識別する。例えば、庫内Ａのキャピラリチューブ１４ａの２次圧の値が０．４２、庫内Ｂのキャピラリチューブ１４ｂの２次圧の値が０．４９の場合、パターンＡに該当するので、パターンＡの第２のイニシャルプルダウン時間の値（３）を現状の第２のイニシャルプルダウン時間の値に設定する。
【００６０】
次に、庫内Ａの蒸発器１６ａまたは庫内Ｂの蒸発器１６ｂのどちらに多くの冷媒が流れたかを認識する（ステップ３３）。冷媒流量認識部３０２は、状態記憶部３０３の現状の庫内Ａと庫内Ｂのキャピラリチューブ２次圧の値を読取り、それらの大小を比較する。キャピラリチューブ２次圧とは冷媒の流れにくさを示す値であり、値が小さいほど流れる冷媒量は多くなる。庫内Ａのキャピラリチューブ１４ａの２次圧の値が０．４２、庫内Ｂのキャピラリチューブ１４ｂの２次圧の値が０．４９の場合、庫内Ａ＜庫内Ｂとなり、冷媒流量は、蒸発器１６ａ（庫内Ａ）＞蒸発器１６ｂ（庫内Ｂ）となる。よって、優先的に冷却する特定庫内を庫内Ｂとして特定庫内選択部３１１ａに記憶する。
【００６１】
特定庫内優先運転制御部３１１は、特定庫内選択部３１１ａにされている庫内Ｂを優先的に冷却する。まず、庫内Ａの冷却を停止し、庫内Ｂを冷却する（ステップ３４）。それと同時に第２のイニシャルプルダウンのカウントをスタートする（ステップ３５）。
【００６２】
ステップ３６で庫内Ａのコラム内温度測定センサ９１ａが冷却動作温度に到達しても冷却停止を継続する（ステップ３７）。
【００６３】
ステップ３８で庫内Ｂのコラム内温度測定センサ９１ｂが冷却停止温度に到達すれば庫内Ｂの冷却を停止し（ステップ３９）、ステップ４０で再び冷却動作温度に到達すれば庫内Ｂの冷却を開始する（ステップ４１）。
【００６４】
ステップ３６からステップ４１の動作を所定の時間経過（イニシャルプルダウン時間の３ｈ）まで継続し、それ以降は通常制御とする（ステップ４３）。
【００６５】
ここで、優先運転制御部３１０を、優先的に冷却する任意庫内を選択するための任意庫内選択部３１２ａを備えた任意庫内優先運転制御部３１２としてもよい。
【００６６】
その動作は、図９のステップ３３において、庫内Ａの蒸発器１６ａまたは庫内Ｂの蒸発器１６ｂのどちらに多くの冷媒が流れたかを認識するために、冷媒流量認識部３０２は、庫内Ａのコラム内温度測定センサ９１ａの温度と庫内Ｂのコラム内温度測定センサ９１ｂの温度を読取り、それらの大小を比較する。コラム内温度測定センサ９１ａの温度＜コラム内温度測定センサ９１ｂの温度の場合、冷媒流量は、蒸発器１６ａ（庫内Ａ）＞蒸発器１６ｂ（庫内Ｂ）となる。よって、優先的に冷却する任意庫内を庫内Ｂとして任意庫内選択部３１２ａに記憶する。
【００６７】
以下、任意庫内優先運転制御部３１２が任意庫内選択部３１２ａに記憶されている庫内Ｂを優先的に冷却する動作は、特定庫内優先運転制御部３１１と同じであるので、説明を省略する。
【００６８】
尚、冷媒流量の大小を、キャピラリチューブ１４ａとキャピラリチューブ２次圧の値やコラム内温度測定センサ９１ａの温度とコラム内温度測定センサ９１ｂの温度で比較したが、これらに限定されるものではない。
【００６９】
以上のように、本実施の形態においては、優先運転制御部３１０（イニシャルプルダウン短縮手段３００）を、優先的に冷却する特定庫内を記憶するための特定庫内選択部３１１ａを備え、特定庫内を優先的に冷却するための特定庫内優先運転制御部３１１とすることにより、高負荷状態でのイニシャルプルダウン時において、蒸発温度上昇の低減により圧縮機９２ｂにかかる負荷を減らし、圧縮機９２ｂの強制停止を防止することができる。さらに、イニシャルプルダウン時間（商品を所定の温度まで冷却するのにかかる時間）を短縮することができ、夏場の暑いときにも大量販売に対応することができる。
【００７０】
また、優先運転制御部３１０（イニシャルプルダウン短縮手段３００）を、優先的に冷却する任意庫内を選択するための任意庫内選択部３１２ａを備え、任意庫内を優先的に冷却するための任意庫内優先運転制御部３１２とすることにより、高負荷状態でのイニシャルプルダウン時において、蒸発温度上昇の低減により圧縮機９２ｂにかかる負荷を減らし、圧縮機９２ｂの強制停止を防止することができる。さらに、任意の庫内を優先的に冷却するために販売状況に応じてイニシャルプルダウン時間（商品を所定の温度まで冷却するのにかかる時間）を短縮することができ、夏場の暑いときにも大量販売に対応することができる。
【００７１】
（実施の形態４）
図６、図７は、本発明の実施の形態４における自動販売機の制御装置の構成図である。図８は、本発明の実施の形態４における状態記憶部の構成図である。図１０は、本発明の実施の形態４における自動販売機の制御装置の動作を示すフローチャートである。なお、実施の形態１と同一構成については、詳細な説明を省略する。
【００７２】
図６において、本発明の実施の形態３のイニシャルプルダウン短縮手段３００としてのイニシャルプルダウン制御温度調整部３２０は、優先的にイニシャルプルダウン時の制御温度を調整する特定庫内を記憶するための特定庫内選択部３２１ａを備え、特定庫内のイニシャルプルダウン時の制御温度を優先的に調整するための特定庫内イニシャルプルダウン制御温度調整部３２１としている。さらに、優先的にイニシャルプルダウン時の制御温度を調整する任意庫内を選択するための任意庫内選択部３２２ａを備え、任意庫内のイニシャルプルダウン時の制御温度を優先的に調整するための任意庫内イニシャルプルダウン制御温度調整部３２２としている。
【００７３】
以上のように構成された自動販売機の制御装置について、以下その動作、作用を説明する。
【００７４】
図１０において、ステップ３１からステップ３５までの処理は実施の形態３と同じであるため説明を省略する。
【００７５】
ステップ３３で、冷媒流量が、蒸発器１６ａ（庫内Ａ）＞蒸発器１６ｂ（庫内Ｂ）で、優先的にイニシャルプルダウン時の制御温度を調整する特定庫内を庫内Ｂとして特定庫内選択部３２１ａに記憶する。
【００７６】
そして、所定の時間（イニシャルプルダウン時間の３ｈ）が経過するまで、特定庫内イニシャルプルダウン制御温度調整部３２１は、特定庫内選択部３２１ａに記憶されている庫内Ｂのイニシャルプルダウン時の冷却停止温度を、通常より３℃低くする（ステップ５１）。
【００７７】
ステップ４２で、所定の時間（イニシャルプルダウン時間の３ｈ）が経過すれば、特定庫内イニシャルプルダウン制御温度調整部３２１は、庫内Ｂのイニシャルプルダウン時の
冷却停止温度を元に戻し（ステップ５２）、処理を終了する。
【００７８】
ここで、イニシャルプルダウン制御温度調整部３２０を、優先的にイニシャルプルダウン時の制御温度を調整する任意庫内を選択するための任意庫内選択部３２２ａを備えた任意庫内イニシャルプルダウン制御温度調整部３２２としてもよい。
【００７９】
その動作は、図１０のステップ３３において、庫内Ａの蒸発器１６ａまたは庫内Ｂの蒸発器１６ｂのどちらに多くの冷媒が流れたかを認識するために、冷媒流量認識部３０２は、庫内Ａのコラム内温度測定センサ９１ａの温度と庫内Ｂのコラム内温度測定センサ９１ｂの温度を読取り、それらの大小を比較する。コラム内温度測定センサ９１ａの温度＜コラム内温度測定センサ９１ｂの温度の場合、冷媒流量は、蒸発器１６ａ（庫内Ａ）＞蒸発器１６ｂ（庫内Ｂ）となる。よって、優先的に冷却する任意庫内を庫内Ｂとして任意庫内選択部３２２ａに記憶する。
【００８０】
以下、任意庫内イニシャルプルダウン制御温度調整部３２２が任意庫内選択部３２２ａに記憶されている庫内Ｂを優先的に冷却する動作は、特定庫内イニシャルプルダウン制御温度調整部３２１と同じであるので、説明を省略する。
【００８１】
尚、イニシャルプルダウン時の冷却停止温度のシフト温度は３℃に限定されるものではない。
【００８２】
以上のように、本実施の形態においては、イニシャルプルダウン制御温度調整部３２０（イニシャルプルダウン短縮手段３００）を、優先的にイニシャルプルダウン時の制御温度を調整する特定庫内を記憶するための特定庫内選択部３２１ａを備え、特定庫内のイニシャルプルダウン時の制御温度を優先的に調整するための特定庫内イニシャルプルダウン制御温度調整部３２１とすることにより、高負荷状態でのイニシャルプルダウン時において、蒸発温度上昇の低減により圧縮機９２ｂにかかる負荷を減らし、圧縮機９２ｂの強制停止を防止することができる。さらに、イニシャルプルダウン時間（商品を所定の温度まで冷却するのにかかる時間）を短縮することができ、夏場の暑いときにも大量販売に対応することができる。
【００８３】
また、イニシャルプルダウン制御温度調整部３２０（イニシャルプルダウン短縮手段３００）を、優先的にイニシャルプルダウン時の制御温度を調整する任意庫内を選択するための任意庫内選択部３２２ａを備え、任意庫内のイニシャルプルダウン時の制御温度を優先的に調整するための任意庫内イニシャルプルダウン制御温度調整部３２２とすることにより、高負荷状態でのイニシャルプルダウン時において、蒸発温度上昇の低減により圧縮機９２ｂにかかる負荷を減らし、圧縮機９２ｂの強制停止を防止することができる。さらに、任意の庫内を優先的に冷却するために販売状況に応じてイニシャルプルダウン時間（商品を所定の温度まで冷却するのにかかる時間）を短縮することができ、夏場の暑いときにも大量販売に対応することができる。
【産業上の利用可能性】
【００８４】
以上のように、本発明にかかる自動販売機の制御装置は、圧縮機にかかる負荷を低減して強制停止を防止することができるので、高負荷状態で使用するあらゆる自動販売機器等の用途にも適用できる。
【符号の説明】
【００８５】
１  自動販売機
３ａ、３ｂ  商品収容コラム
７  コントローラ
１２  凝縮器
１６ａ、１６ｂ  蒸発器
９２ｂ  圧縮機
１００  蒸発温度上昇低減手段
１００ａ  高負荷状態判定部
１１０  強制運転制御部
１１１  特定庫内強制運転制御部
１１１ａ  特定庫内記憶部
１１２  任意庫内強制運転制御部
１１２ａ  任意庫内選択部
１２０  制御温度調整部
１２１  特定庫内制御温度調整部
１２１ａ  特定庫内記憶部
１２２  任意庫内制御温度調整部
１２２ａ  任意庫内選択部
３００  イニシャルプルダウン短縮手段
３０１  タイマー決定部
３０２  冷媒流量認識部
３０３  状態記憶部
３１０  優先運転制御部
３１１  特定庫内優先運転制御部
３１１ａ  特定庫内選択部
３１２  任意庫内優先運転制御部
３１２ａ  任意庫内選択部
３２０  イニシャルプルダウン制御温度調整部
３２１  特定庫内イニシャルプルダウン制御温度調整部
３２１ａ  特定庫内選択部
３２２  任意庫内イニシャルプルダウン制御温度調整部
３２２ａ  任意庫内選択部
【図１】
2010257110.tif 000003
【図２】
2010257110.tif 000004
【図３】
2010257110.tif 000005
【図４】
2010257110.tif 000006
【図５】
2010257110.tif 000007
【図６】
2010257110.tif 000008
【図７】
2010257110.tif 000009
【図８】
2010257110.tif 000010
【図９】
2010257110.tif 000011
【図１０】
2010257110.tif 000012
【図１１】
2010257110.tif 000013